(57)【要約】【解決手段】本発明は、靴、特にはスポーツ靴のための靴甲部（１１）であって、後方セクション（１４）と、前方セクション（１５）とを備え、前方セクション（１５）は後方セクション（１４）よりも小さくグレーディングされ、前方セクション（１５）は後方セクション（１４）よりも柔軟である、靴甲部（１１）に関する。【選択図】図３
2017099861.tif 000002
【特許請求の範囲】
【請求項１】
靴のための靴甲部であって、
後方セクションと、
前方セクションとを備え、前記前方セクションは前記後方セクションよりも小さくグレーディングされ、前記前方セクションは前記後方セクションよりも柔軟である、靴甲部。
【請求項２】
前記前方セクションは、前記後方セクションよりも少なくともフル靴サイズだけ小さくグレーディングされる、請求項１に記載の靴甲部。
【請求項３】
前記前方セクションは、少なくとも幅に関して前記後方セクションよりも小さくグレーディングされる、請求項１または２に記載の靴甲部。
【請求項４】
前記前方セクションは、１つの方向において別の方向よりも柔軟である、請求項１から３のいずれか一項に記載の靴甲部。
【請求項５】
前記前方セクションは、靴甲部の長手軸に垂直な１つの方向において靴甲部の長手軸に平行な１つの方向よりも柔軟である、請求項１から４のいずれか一項に記載の靴甲部。
【請求項６】
前記後方セクションは、少なくとも２つの方向において、それらの方向とは異なる第３の方向よりも柔軟である、請求項１から５のいずれか一項に記載の靴甲部。
【請求項７】
前記後方セクションは、靴甲部の長手軸に垂直および平行な１つの方向において、その方向とは異なる第３の方向よりも柔軟である、請求項１から６のいずれか一項に記載の靴甲部。
【請求項８】
前記後方セクションと前記前方セクションは縫い合わされる、請求項１から７のいずれか一項に記載の靴甲部。
【請求項９】
前記後方セクションおよび前記前方セクションは、合成ポリウレタン材料から成る、請求項１から８のいずれか一項に記載の靴甲部。
【請求項１０】
前記合成ポリウレタン材料は担体材料上に適用される、請求項９に記載の靴甲部。
【請求項１１】
柔軟性を減少させる層が、前記前方セクションの少なくとも一部分において前記前方セクションに適用される、請求項１から１０のいずれか一項に記載の靴甲部。
【請求項１２】
前記層は、熱可塑性ポリウレタンのフィルムである、請求項１１に記載の靴甲部。
【請求項１３】
前記フィルムは、溶着によって前記前方セクションに適用される、請求項１２に記載の靴甲部。
【請求項１４】
前記前方セクションは装着中に足の前方部分を覆うように構成され、前記後方セクションは装着中に足の後方部分を覆うように構成される、請求項１から１３のいずれか一項に記載の靴甲部。
【請求項１５】
靴であって、
ａ．靴底と、
ｂ．請求項１から１４のいずれか一項に記載の靴甲部と、を備える靴。
【請求項１６】
靴底は、靴甲部の前記後方セクションと連続的にグレーディングされる、請求項１５に記載の靴。
【請求項１７】
靴のための靴甲部を製造するための方法であって、
前記靴甲部の後方セクションを準備するステップと、
前記靴甲部の前方セクションを準備するステップであって、前記前方セクションは前記後方セクションよりも小さくグレーディングされ、前記前方セクションは前記後方セクションよりも柔軟である、ステップと、
前記後方セクションと前記前方セクションとを接続するステップと、を備える方法。
【請求項１８】
前記前方セクションは、前記後方セクションよりも少なくともフル靴サイズだけ小さくグレーディングされる、請求項１７に記載の方法。
【請求項１９】
前記後方セクションを準備するステップは、第１の材料層から前記後方セクションを打ち抜くステップを備える、請求項１７または１８に記載の方法。
【請求項２０】
前記前方セクションを準備するステップは、第２の材料層から前記前方セクションを打ち抜くステップを備える、請求項１７から１９のいずれか一項に記載の方法。
【請求項２１】
第１の材料層は、第２の材料層とは異なる、請求項１９または２０に記載の方法。
【請求項２２】
第２の材料層は、第１の材料層よりも柔軟である、請求項２０または２１に記載の方法。
【請求項２３】
第２の材料層は、１つの方向において別の方向よりも柔軟である、請求項２０から２２のいずれか一項に記載の方法。
【請求項２４】
第１の材料層は、少なくとも２つの方向において、それらの方向とは異なる第３の方向よりも柔軟である、請求項１９から２３のいずれか一項に記載の方法。
【請求項２５】
前記後方セクションと前記前方セクションとを接続するステップは、前記後方セクションを前記前方セクションと縫い合わせるステップを備える、請求項１７から２４のいずれか一項に記載の方法。
【請求項２６】
前記前方セクションの少なくとも一部分に柔軟性を減少させる層を適用するステップを更に備える、請求項１７から２５のいずれか一項に記載の方法。
【請求項２７】
前記適用するステップは、層を溶着するステップを備える、請求項１７から２６のいずれか一項に記載の方法。
【請求項２８】
前記後方セクションおよび前記前方セクションを準備するステップは、熱可塑性ポリウレタン材料を、担体材料上に適用するステップを備える、請求項１７から２７のいずれか一項に記載の方法。
【請求項２９】
前記靴甲部は、請求項１から請求項１４のいずれか一項に記載の靴甲部である、請求項１７から２８のいずれか一項に記載の方法。
【発明の詳細な説明】
【技術分野】
【０００１】
本発明は、靴、特にはスポーツ靴のための靴甲部、および靴、特にはスポーツ靴のための靴甲部を製造するための方法に関する。
【背景技術】
【０００２】
靴は、その装着者に最も適切にフィットしなければならず、大きすぎても小さすぎてもいけない。大きすぎる靴は、足を最適に包み込むことがない。足は十分な安定性を有さず、装着者が足首を捻る危険性が存在する。大きすぎる靴は、特にスポーツ靴の場合に、突然の方向の変化、加速、停止が起こるときに重大である。このような動作の際には、大きすぎる靴は足と地面との間に発生する力を十分に伝達することができない。そのため、怪我をする可能性は大きなものとなる。
【０００３】
サッカー、ラグビー、またはフットボールなどのチームボール競技においては、大きすぎる靴は、ボールのコントロールに関して更に不都合がある。サッカー選手は、通常、ドリブル中またはシュートの際に、ボールを最適にコントロールするために、ボールに対する直接的な触感を提供する靴を好む。大きすぎる靴はこのような要望を満たすことができない。
【０００４】
一方で、靴は小さすぎてもいけない。小さすぎる靴は、足を制限し、足の血液循環を損なう。それによって、足がより早く疲労し、またはしばらくの間装着した後にしびれ感が起こる。更には、小さすぎる靴は、あざ、水ぶくれ、皮膚の擦り傷をもたらす恐れがある。
【０００５】
足は、通常、対称ではないことから、上記の問題は、更に悪化する。通常、一方の足は他方の足よりもわずかに大きく、より大きな体積を有する。一般に、利き足が右足の人、つまり右足を好んで用いる人は、左足よりも右足の方が強く、逆の場合も同じである。更には、長さ、および特には幅が、右足と左足とで異なることがある。
【０００６】
靴の足元状態（footing）およびフィットを向上させる異なる従来技術の試みが知られている。
【０００７】
例えば、米国特許出願公開第２０１４／００５９８８９号明細書は、柔軟な部分的な靴底および装着者の前足セクションに対応した柔軟な靴甲部を使用することで、長さが可変であり柔軟な形態の靴を開示している。
【０００８】
米国特許出願公開２０１４／００４１２５６号明細書は、スライド式の本底構成および／またはスライド式の中底構成を利用することによって縦軸方向に拡張可能な靴デザインを開示している。
【０００９】
米国特許第７，０５５，２６８号明細書は、長さ調節が可能な靴を開示している。この靴は、本底と、本底に装着された中底と、中底に装着された甲部と、中底に設けられて中底の長さを調節するための手段と、甲部に設けられた甲部引張部材と、甲部引張部材によって分割された甲部の前部と後部を締め付けて靴のサイズを装着者の足のサイズに維持する手段とを含む。
【００１０】
米国特許第８，９３８，８９０号明細書は、拡張可能な靴を開示し、この拡張可能な靴は、上部と、一対の側部と、背部と、靴底と、踵と、第１の弾性部材とを有する。第１の弾性部材は、上部と側部との接合部にある重要部分で、上部を一対の側部に接合する。
【先行技術文献】
【特許文献】
【００１１】
【特許文献１】米国特許出願公開第２０１４／００５９８８９号明細書
【特許文献２】米国特許出願公開第２０１４／００４１２５６号明細書
【特許文献３】米国特許第７，０５５，２６８号明細書
【特許文献４】米国特許第８，９３８，８９０号明細書
【発明の概要】
【発明が解決しようとする課題】
【００１２】
しかしながら、既知の解決策は非常に細密で、費用を要し、靴の長さを調節するために特別な機械的な仕組みを取り付けるため靴の重さが増してしまう。一方、足への靴のフィットを決定する重要なパラメータはむしろ幅であるため、多くの場合、靴の長さを調節するだけでは不十分である。
【００１３】
本発明の目的は、従来技術の上記の不都合を克服する靴、特にはスポーツ靴のための靴甲部を提供することである。特には、本発明の目的は、装着者の足をしっかりと包み込み、製造の費用効果が高く、軽量な靴甲部を提供することである。
【００１４】
この目的は、請求項１に記載の靴甲部、および請求項１８に記載の靴甲部を製造するための方法によって解決される。従属請求項は、好適な実施形態を備える。
【課題を解決するための手段】
【００１５】
本発明によると、靴、特にはスポーツ靴のための靴甲部は、後方セクションと、前方セクションとを備え、前方セクションは後方セクションよりも小さく傾斜され（grading、グレーディング）、前方セクションは後方セクションよりも柔軟である。
【００１６】
グレーディングは、サンプル靴型、サンプル靴またはサンプル靴甲部とは違う更なる靴サイズを製造すること、すなわち、サンプルの大きさを小さくまたは大きくすることを指す。サンプル靴型、サンプル靴、またはサンプル靴甲部（サンプル）は、他の靴サイズのサンプルを得るために、一定の基準に従って拡大、縮小される。例えば、ヨーロッパサイズ方式による男性の靴サイズ４３に対応するサンプルが、例えば靴サイズ４５のサンプルを得るためにグレーディングされ得る。グレーディング中に、当初のサンプルの長さおよび幅の両方が規定の量だけ拡大される。通常、当初のサンプルは、代表母集団平均に対応する。
【００１７】
発明者は、非常に良好な足元状態を提供し、特にスポーツ活動に適した靴甲部は、当初のサンプルに基づいて前方セクションを後方セクションよりも小さくグレーディングすることで得ることができることを見いだした。前方セクションを小さくグレーディングすると、前方セクションは前足領域をしっかりと包み込むので、靴甲部の緊密なフィットが提供される。これは、ボールへの直接的な接触が不可欠である場合に、チームボール競技に特に好都合である。更には、前方セクションの緊密なフィットによって、靴のゆるいフィットが防止され、足首を捻る危険性が減少する。それにもかかわらず、後方セクションは通常のグレーディングから得られる靴サイズに対応しているため、靴が小さすぎるということもない。例えば、男性の靴のための靴甲部の前方セクションはヨーロッパサイズ方式によるサイズの４４に対応し、後方セクションはサイズ４５に対応することができる。
【００１８】
更に、前方セクションは、後方セクションよりも柔軟である。したがって、前方セクションは、足に適合して足をしっかりと包み込むことができる。同時に、柔軟性があることによって、あざができたり血流が損なわれたりすることが防止される。前方セクションの柔軟性と前方セクションのより小さいグレーディングとを組み合わせることで、異なる足体積、例えば、右足と左足とで異なる場合のある足体積に、靴甲部を最適に適合させることもできる。
【００１９】
本発明によると、靴甲部の前方セクションから後方セクションへの移行部分は、足の中央領域にあってよい。例えば、このような移行部分は靴甲部の長手軸のおよそ中央部に配置されてよい。代替的には、このよう移行部分が、長手軸を２対１の比率に分割してもよく、その場合は、小さい方の部分が靴甲部の前方部分に配置される。
【００２０】
前方セクションは、後方セクションよりも少なくとも１靴サイズ小さくグレーディングされてよい。これによって、前方セクションは、前足領域をしっかりと包み込むことができ、靴甲部の足への良好なフィットを確保することができる。前方セクションを後方セクションよりも１靴サイズ小さくグレーディングすることの利点は、それによってボールに対する触感が向上するため、特にサッカーシューズで明らかになっている。
【００２１】
前方セクションは、少なくとも幅に関して後方セクションよりも小さくグレーディングされてよい。靴甲部の長さは通常通りグレーディングされた靴甲部の長さに対応してよい。しかしながら、前方セクションの幅は通常の靴甲部に比べて小さく、それによって、長手方向において足指を制限することなく、特に良好に足が包み込まれ得る。
【００２２】
前方セクションは、１つの方向において別の方向よりも柔軟であってよい。それによって、前方セクションの柔軟性の向きが、要望に従って設定され得る。
【００２３】
前方セクションは、靴甲部の長手軸に垂直な１つの方向において靴甲部の長手軸に平行な１つの方向よりも柔軟であってよい。このようにして、靴甲部の前方セクションは、足の幅に適合することができる。同時に、靴甲部が長手軸に関して緩んで、足が最適に支持されず、例えば回転運動中に前方に滑ってしまうことが防止される。
【００２４】
後方セクションは、少なくとも２つの方向において、それらの方向とは異なる第３の方向よりも柔軟であってよい。例えば、後方セクションは、靴甲部の長手軸に垂直な方向および平行な方向において、それらの方向とは異なる第３の方向（例えば、斜め方向）よりも柔軟であってよい。このようにして、靴甲部の後方セクションは、長さおよび幅に関して足形状に適合し得る。
【００２５】
後方セクションと前方セクションは縫い合わされてよい。例えば、前方セクションと後方セクションを完全に自動化された縫製ミシンによって縫い合わせることができ、それによって靴甲部の製造コストが削減される。
【００２６】
後方セクションおよび前方セクションは、合成ポリウレタン材料から製造されてよい。ポリウレタン材料は、担体材料上に適用され得る。担体材料は、繊維材料の層でよい。繊維材料は、マイクロファイバに基づいたものでよい。代替的に、担体材料は、織物、たて編生地、よこ編生地、またはそれらの組み合わせに基づいたものでもよい。ポリウレタンは、容易に、加工され得、繊維上に、例えば液体の形態で、適用され得る。代替的に、後方セクションおよび前方セクションは、天然皮革または合成皮革から製造されてよい。好ましくは、適用される担体材料は、後方セクションおよび前方セクションの柔軟性を決定する。好ましくは、後方セクションおよび前方セクションの柔軟性は、担体材料を介して調節可能である。一般に、異なる担体材料が前方セクションおよび後方セクションに使用されてよい。
【００２７】
柔軟性を減少させる層が、前方セクションの少なくとも一部分において前方セクションに適用されてよい。それによって、前方セクションの柔軟性が選択的に調節され得る。例えば、前方セクションの第１の部分は、柔軟性を減少させる層で被覆されない。結果として、この部分は柔軟であり、前方セクションが足に適合することを可能にする。第２の部分は柔軟性を減少させる層で被覆されてよい。したがって、この第２の部分は靴甲部の安定性に寄与する。例えば、第２の部分は、より大きな機械的応力を受けることの多い足指部分であり得る。
【００２８】
この層は、熱可塑性ポリウレタンのフィルムでよい。熱可塑性ポリウレタンは加工が容易で、柔軟性が低い。代替的に、非柔軟性ゴムを使用してもよい。
【００２９】
フィルムは、溶着によって前方セクションに適用されてよい。溶着は実行に比較的時間がかからない工程段階であり、自動化することができる。例えば、高周波溶着、超音波溶着、赤外線溶着、またはレーザー溶着が使用されてよい。
【００３０】
前方セクションは装着中に足の前方部分を覆うように構成することができ、後方セクションは装着中に足の後方部分を覆うように構成することができる。このような靴甲部の前方セクションと後方セクションへの分割によって、足の形状への適切なフィットが可能になり、足を安定させる。
【００３１】
本発明の更なる態様は、靴底と上述の靴甲部とを備える靴である。
【００３２】
本発明によると、靴底は、靴甲部の後方セクションと連続的にグレーディングされてよい。それによって、靴底は、通常通りグレーディングされた靴底に対応する長さおよび幅を有する。
【００３３】
本発明の更なる態様は、靴、特にはスポーツ靴のための靴甲部を製造するための方法に関し、この方法は、靴甲部の後方セクションを準備するステップと、靴甲部の前方セクションを準備するステップであって、前方セクションは後方セクションよりも小さくグレーディングされるステップと、後方セクションと前方セクションとを接続するステップと、を備える。
【００３４】
本発明に関連する方法によると、前方セクションは、後方セクションよりも少なくともフル靴サイズ（full shoe size）だけ小さくグレーディングされてよい。それによって、前方セクションは、前足領域をしっかりと包み込み、足の周りへの靴甲部の適切なフィットを可能にする。特にサッカーシューズに関して、ボールに対する触感が向上するため、前方セクションを後方セクションよりも小さくグレーディングすることが好都合であることが実証されている。
【００３５】
後方セクションを準備するステップは、第１の材料層から後方セクションを打ち抜くステップを備えてよい。前方セクションを準備するステップは、第２の材料層から前方セクションを打ち抜くステップを備えてよい。打ち抜きは、実行に時間がかからない工程段階であり、自動化することができる。
【００３６】
第１の材料層は、第２の材料層とは異なってよい。それによって、前方セクションのために、後方セクションとは異なる材料が提供され得る。材料は各自の特性に関して違いがあってよい。例えば、第２の材料層は、第１の材料層よりも柔軟でよい。それによって、前方セクションは足に適合することができ、足をしっかりと包み込むことができる。しかしながら、柔軟性があることによって、あざができたり血流が損なわれたりすることが防止される。本発明によると、前方セクションの柔軟性と前方セクションのより小さいグレーディングとを組み合わせることで、製造される靴甲部は、例えば右靴と左靴との異なる足体積への最適なフィットを可能にする。
【００３７】
第２の材料層は、１つの方向において別の方向よりも柔軟であってよい。それによって、前方セクションの柔軟性の向きが、要望に従って設定され得る。
【００３８】
第１の材料層は、少なくとも２つの方向において、それらの方向とは異なる第３の方向よりも柔軟であってよい。例えば、後方セクションは、靴甲部の長手軸に垂直および平行な１つの方向において、その方向とは異なる第３の方向（例えば、斜め方向）よりも柔軟であってよい。このようにして、靴甲部の後方セクションは、長さおよび幅に関して足形状に適合し得る。
【００３９】
後方セクションと前方セクションとを接続するステップは、後方セクションを前方セクションと縫い合わせるステップを備えてよい。例えば、前方セクションと後方セクションを完全に自動化された縫製ミシンによって縫い合わせることができ、それによって靴甲部の製造コストが削減され得る。
【００４０】
本発明に関連する方法は、前方セクションの少なくとも一部分に柔軟性を減少させる層を適用するステップを更に備えてもよい。それによって、前方セクションの柔軟性が選択的に調節され得る。例えば、前方セクションの第１の部分は、柔軟性を減少させる層で被覆されなくてよい。結果として、この部分は柔軟であり、前方セクションが足に適合することを可能にする。前方セクションの第２の部分は柔軟性を減少させる層で被覆されてよい。したがって、この第２の部分は靴甲部の安定性に寄与する。例えば、第２の部分は、より大きな機械的応力を受けることの多い足指部分であり得る。
【００４１】
適用するステップは、層を溶着するステップを備えてよい。溶着は実行に比較的時間がかからない工程段階であり、自動化することができる。例えば、高周波溶着、超音波溶着、赤外線溶着、またはレーザー溶着が使用されてよい。
【００４２】
後方セクションおよび前方セクションを準備するステップは、合成ポリウレタン材料を、担体材料上に適用するステップを備えてよい。繊維担体材料は、マイクロファイバに基づいたものでよい。代替的に、担体材料は、織物、たて編生地、よこ編生地、またはそれらの組み合わせに基づいたものでもよい。合成ポリウレタンは、容易に加工され得、柔軟性が小さい。代替的に、非柔軟性ゴムを使用してもよい。好ましくは、適用される担体材料は、後方セクションおよび前方セクションの柔軟性を決定する。一般に、異なる担体材料が前方セクションおよび後方セクションに使用されてよい。
【００４３】
本発明による靴甲部は、上述した本発明による方法によって製造することができる。
【００４４】
本発明は、以下の実施形態を含む。
【００４５】
［１］靴、特にはスポーツ靴のための靴甲部（１１）であって、
後方セクション（１４）と、
前方セクション（１５）とを備え、前方セクション（１５）は後方セクション（１４）よりも小さくグレーディングされ、前方セクション（１５）は後方セクション（１４）よりも柔軟である、靴甲部（１１）。
【００４６】
［２］前方セクションは、後方セクションよりも少なくともフル靴サイズだけ小さくグレーディングされる、［１］に記載の靴甲部。
【００４７】
［３］前方セクションは、少なくとも幅に関して後方セクションよりも小さくグレーディングされる、［１］または［２］に記載の靴甲部。
【００４８】
［４］前方セクションは、１つの方向において別の方向よりも柔軟である、［１］から［３］のいずれか一項に記載の靴甲部。
【００４９】
［５］前方セクションは、靴甲部の長手軸に垂直な１つの方向において靴甲部の長手軸に平行な１つの方向よりも柔軟である、［１］から［４］のいずれか一項に記載の靴甲部。
【００５０】
［６］後方セクションは、少なくとも２つの方向において、それらの方向とは異なる第３の方向よりも柔軟である、［１］から［５］のいずれか一項に記載の靴甲部。
【００５１】
［７］後方セクションは、靴甲部の長手軸に垂直および平行な１つの方向において、その方向とは異なる第３の方向よりも柔軟である、［１］から［６］のいずれか一項に記載の靴甲部。
【００５２】
［８］後方セクションと前方セクションは縫い合わされる、［１］から［７］のいずれか一項に記載の靴甲部。
【００５３】
［９］後方セクションおよび前方セクションは、合成ポリウレタン材料から成る、［１］から［８］のいずれか一項に記載の靴甲部。
【００５４】
［１０］ポリウレタン材料は担体材料上に適用される、［９］に記載の靴甲部。
【００５５】
［１１］柔軟性を減少させる層が、前方セクションの少なくとも一部分において前方セクションに適用される、［１］から［１０］のいずれか一項に記載の靴甲部。
【００５６】
［１２］層は、熱可塑性ポリウレタンのフィルムである、［１１］に記載の靴甲部。
【００５７】
［１３］フィルムは、溶着によって前方セクションに適用される、［１２］に記載の靴甲部。
【００５８】
［１４］前方セクションは装着中に足の前方部分を覆うように構成され、後方セクションは装着中に足の後方部分を覆うように構成される、［１］から［１３］のいずれか一項に記載の靴甲部。
【００５９】
［１５］靴（１０）であって、
ａ．靴底（１２）と、
ｂ．［１］から［１４］のいずれか一項に記載の靴甲部（１１）と、を備える靴（１０）。
【００６０】
［１６］靴底は、靴甲部の後方セクションと連続的にグレーディングされる、［１５］に記載の靴。
【００６１】
［１７］靴、特にはスポーツ靴のための靴甲部（１１）を製造するための方法であって、
靴甲部（１１）の後方セクション（１４）を準備するステップと、
靴甲部（１１）の前方セクション（１５）を準備するステップであって、前方セクション（１５）は後方セクション（１４）よりも小さくグレーディングされ、前方セクション（１５）は後方セクション（１４）よりも柔軟である、ステップと、
後方セクション（１４）と前方セクション（１５）とを接続するステップと、を備える方法。
【００６２】
［１８］前方セクションは、後方セクションよりも少なくともフル靴サイズだけ小さくグレーディングされる、［１７］に記載の方法。
【００６３】
［１９］後方セクションを準備するステップは、第１の材料層から後方セクションを打ち抜くステップを備える、［１７］または［１８］に記載の方法。
【００６４】
［２０］前方セクションを準備するステップは、第２の材料層から前方セクションを打ち抜くステップを備える、［１７］から［１９］のいずれか一項に記載の方法。
【００６５】
［２１］第１の材料層は、第２の材料層とは異なる、［１９］または［２０］に記載の方法。
【００６６】
［２２］第２の材料層は、第１の材料層よりも柔軟である、［２０］または［２１］に記載の方法。
【００６７】
［２３］第２の材料層は、１つの方向において別の方向よりも柔軟である、［２０］から［２２］のいずれか一項に記載の方法。
【００６８】
［２４］第１の材料層は、少なくとも２つの方向において、それらの方向とは異なる第３の方向よりも柔軟である、［１９］から［２３］のいずれか一項に記載の方法。
【００６９】
［２５］後方セクションと前方セクションとを接続するステップは、後方セクションを前方セクションと縫い合わせるステップを備える、［１７］から［２４］のいずれか一項に記載の方法。
【００７０】
［２６］前方セクションの少なくとも一部分に柔軟性を減少させる層を適用するステップを更に備える、［１７］から［２５］のいずれか一項に記載の方法。
【００７１】
［２７］適用するステップは、層を溶着するステップを備える、［１７］から［２６］のいずれか一項に記載の方法。
【００７２】
［２８］後方セクションおよび前方セクションを準備するステップは、熱可塑性ポリウレタン材料を、担体材料上に適用するステップを備える、［１７］から［２７］のいずれか一項に記載の方法。
【００７３】
［２９］靴甲部は、［１］から［１４］のいずれか一項に記載の靴甲部である、［１７］から［２８］のいずれか一項に記載の方法。
【００７４】
本発明の可能な実施形態が、以下の図面を参照しながら以下の詳細な説明において更に説明される。
【図面の簡単な説明】
【００７５】
【図１Ａ】本発明による靴甲部を有する靴の実施形態の側面図である。
【図１Ｂ】図１Ａの実施形態の内側図である。
【図１Ｃ】図１Ａの実施形態の前面図である。
【図２】靴甲部のグレーディング工程の模式図である。
【図３】本発明による靴甲部のグレーディング工程の模式図である。
【発明を実施するための形態】
【００７６】
以下に、本発明の実施形態および実施例を詳細に説明する。
【００７７】
図１Ａ、図１Ｂ、および図１Ｃは、本発明による靴甲部１１を備える靴１０の実施形態を示す。図１Ａは側面図を示し、図１Ｂは内側図を示し、図１Ｃは前面図を示す。靴１０は、本発明による靴甲部１１と、靴底１２とを備える。図１Ａ、図１Ｂ、および図１Ｃに示されている靴はサッカー靴である。そのため、靴底１２は鋲を備え、そのうち２つの鋲に図１Ａ、図１Ｂおよび図１Ｃにおいて例示的に符号１３が付されている。本発明は、サッカー靴に限定されるものではなく、ラグビー、フットボール、バスケットボール、バレーボール、およびゴルフなどの他のスポーツ分野の靴にも適用することができる。本発明は、更に、スポーツ靴ではない、例えばカジュアル靴にも適用することができる。
【００７８】
図１Ａ、図１Ｂ、および図１Ｃに示されるように、靴甲部１１は、後方セクション１４と前方セクション１５とを備える。後方セクション１４と前方セクション１５は、継ぎ目１６に沿って縫い合わされてよい。これは適切な縫製ミシンによって行われてよい。代替的に、後方セクション１４と前方セクション１５とは、（例えば、高周波溶着、超音波溶着、赤外線溶着、またはレーザー溶着によって）溶着されてもよい。
【００７９】
図１Ａ、図１Ｂ、および図１Ｃの実施形態において、継ぎ目１６は、後方セクション１４と前方セクション１５との間で、足の甲の前方部分から、足根骨から中足骨への移行部分へとＳ字形に延在する。一般に、継ぎ目の異なる配置、例えば、靴甲部１１の中央またはそれより前部寄りの足指部分への配置が可能である。
【００８０】
図１Ａ、図１Ｂ、および図１Ｃの実施形態において、前方セクション１５および後方セクション１４は、合成ポリウレタン材料から製造される。そのために、ポリウレタン材料が、繊維担体材料（図面には示されていない）の層の上に適用された。繊維担体材料は、マイクロファイバに基づく。一般に、また本発明によると、異なる担体材料および異なる被覆が使用されてもよい。更に、後方セクション１４および／または前方セクション１５を、例えば、皮革、合成皮革、メッシュ生地、たて編生地、よこ編生地、またはそれらの組み合わせから製造することも可能である。また更には、後方セクション１４および／または前方セクション１５を被覆することも可能である。
【００８１】
一般に、後方セクション１４および前方セクション１５は両方とも、材料層から打ち抜くことができる。後方セクション１４のための材料層は、前方セクション１５のための材料層とは異なってよい。例えば、前方セクション１５のための材料層はより柔軟であってよい。代替的に、後方セクション１４および前方セクション１５は、同一の材料層から打ち抜かれてもよい。更に、セクション１４および１５を、好ましい形状に、例えばたて編みまたはよこ編みすることも可能である。
【００８２】
本発明によると、前方セクション１５は後方セクション１４よりも小さくグレーディングされる。グレーディングは、サンプル靴型、サンプル靴、またはサンプル靴甲部とは違う更なる靴サイズを製造すること、すなわち、サンプルの大きさを小さくまたは大きくすることを指す。サンプル靴型、サンプル靴、またはサンプル靴甲部（サンプル）は、他の靴サイズのサンプルを得るために、一定の基準に従って拡大、縮小される。例えば、ヨーロッパサイズ方式による男性の靴サイズ４３に対応するサンプルが、靴サイズ４５を得るためにグレーディングされ得る。グレーディング中に、当初のサンプルの長さおよび幅の両方が規定の量だけ拡大される。通常、当初のサンプルは、代表母集団平均に対応する。
【００８３】
図２に関して、本発明を理解するために必要とされるグレーディングの工程が以下に説明される。図２は、サンプル靴甲部２１を模式的に示す。このようなサンプル靴甲部２１のサイズは、代表母集団サイズ、および特定の靴サイズ、例えばヨーロッパサイズ方式による男性の靴サイズ４３に対応する。靴甲部２１に基づいて他の靴サイズのためのサンプル靴甲部を得るために、前記靴甲部２１はグレーディングされる必要がある。基本的には、グレーディングは、できるだけ大きな母集団シェアに適する他の靴サイズのためのサンプル靴甲部を得ることができるように、サンプル靴甲部２１が拡大、縮小されることを意味する。例えば、男性の靴サイズ４３に対応するサンプル靴甲部２１のグレーディング中に、男性の靴サイズ４５に対応するサンプル靴甲部が得られよう。このような靴甲部は、靴サイズ４５を装着するできるだけ大きな母集団シェアにフィットするであろう。
【００８４】
図２のサンプル靴甲部２１は折り畳まれ、すなわち、側面側と内面側とが部分的に重なり合う。側面側の境界線は符号２１ａが付され、内面側は符号２１ｂが付されている。更には、サンプル靴型２２（破線）が図２に図示されている。
【００８５】
グレーディング中に、通常、先ずサンプル靴甲部２１の中央ライン２３が規定される。次いで、中央ライン２３上に位置するポイント２４が規定される。前記ポイント２４は、グレーディング中心と呼ばれ、グレーディング工程の出発点を示す。ポイント２４は、中央ライン２３を１対２の比率で分割するように選ぶことができるが、他の比率も可能である。グレーディング中に、サンプル靴甲部２１の幅および長さは、互いに独立して拡大、縮小される。例えば、ポイント２３から出発して、ポイント２４まで特定の距離（例えば、２０ｍｍ）である別のポイント２５が、幅を拡大縮小するために規定され得る。別のポイント２６が、側面側の境界線２１ａおよび内面側の境界線２１ｂの中心を規定する。サンプル靴甲部２１の幅２７は、中央ライン２３に垂直に、ポイント２５とポイント２６との間で測定することができる。
【００８６】
グレーディング中に、幅２７は規定の固定値に従って変更され得る。例えば、幅は、イギリスサイズ方式（ＵＫ）ではハーフ靴サイズごとに１ｍｍ増加または減少され得る。サンプル靴甲部２１がｘｍｍの規定幅を有する場合には、イギリスサイズ方式でハーフ靴サイズ大きい次のサイズのサンプル靴甲部は、ｘ＋１ｍｍの幅を有することになる。それとは逆に、ハーフ靴サイズ小さい次のサイズは、ｘ−１ｍｍの幅を有することになる。フランスサイズ方式（Ｆ）では、幅は、例えばフル靴サイズごとに２ｍｍ増加または減少され得る。
【００８７】
グレーディング中に、サンプル靴甲部２１の長さも変更される。しかしながら、より大きな足は、通常、より小さな足と比較すると、幅に比べて不釣り合いに大きい長さを有するため、この変更は、幅２７と同一の値に基づくものではない。例えば、長さは、イギリスサイズ方式（ＵＫ）ではハーフ靴サイズごとに４．２３ｍｍ増加または減少され得る。サンプル靴甲部２１がｙｍｍの規定長さを有する場合には、イギリスサイズ方式でハーフ靴サイズ大きい次のサイズのサンプル靴甲部は、ｙ＋４．２３ｍｍの長さを有することになる。それとは逆に、ハーフ靴サイズ小さい次のサイズは、ｙ−４．２３ｍｍの長さを有することになる。フランスサイズ方式（Ｆ）では、長さは、例えばフル靴サイズごとに６．６６ｍｍ増加または減少され得る。
【００８８】
本発明によると、靴甲部１１は、後方セクション１４よりも小さくグレーディングされた前方セクション１５を備える。以下に、図３に関して、この態様が詳細に説明される。図３は、後方セクション１４と、前方セクション１５と、２つのセクション１４と１５との間の境界線３２とを有するサンプル靴甲部３１を示す。境界線３２は、工程の後段において、製造される靴甲部１１の２つのセクション１４と１５とを接続する継ぎ目１６に対応する。
【００８９】
本発明によると、セクション１４と１５とは、上記において図２を参照して例示的に説明されたグレーディング規則に従って、個別にグレーディングされ、そのとき、前方セクション１５は後方セクション１４よりも小さくグレーディングされる。例えば、サンプル靴甲部３１がイギリスサイズ方式（ＵＫ）で靴サイズ９に対応する場合には、本発明によるサイズ１０と１／２の例示的なサンプル靴甲部を得るために、後方セクション１４および前方セクション１５は以下のようにグレーディングされる。後方セクション１４を得るために、サンプル靴甲部３１（サイズ９ＵＫ）の幅は３ｍｍ（ハーフサイズごとに１ｍｍ）増加され、サンプル靴甲部３１の長さは１２．６９ｍｍ（ハーフサイズごとに４．２３ｍｍ）増加される。図２で説明される通常のグレーディングとは異なり、前方セクション１５はより小さくグレーディングされる。例えば、前方セクション１５は、後方セクション１４のグレーディングよりもハーフ靴サイズ小さくグレーディングされたサンプル靴甲部に対応し得る。したがって、前方セクション１５を得るために、サンプル靴甲部３１（サイズ９ＵＫ）の幅は２ｍｍ（ハーフサイズごとに１ｍｍ）増加され、サンプル靴甲部３１の長さは８．４６ｍｍ（ハーフサイズごとに４．２３ｍｍ）増加される。
【００９０】
前方セクション１５は、ハーフ靴サイズよりも大きい量だけ、例えばフル靴サイズ分、後方セクション１４よりも小さくグレーディングされてもよい。異なるサイズ方式は、異なる形で精密に細分されているため、サイズの差の選択は、グレーディングが行われるサイズ方式に応じたものになる。例えば、イギリスサイズ方式では、２つの隣り合うフル靴サイズの間の差（例えば、１０ＵＫに対する９ＵＫ）は、ヨーロッパサイズ方式における差（例えば、４４ＥＵＲに対する４３ＥＵＲ）よりも大きい。
【００９１】
本発明によると、前方セクション１５の幅または長さだけを後方セクション１４よりも小さくグレーディングすることも可能である。例えば、靴甲部１１の前方セクション１５の幅は、後方セクション１４の幅よりも１靴サイズ小さくグレーディングされ、２つのセクション１４および１５の長さは同一の値でグレーディングされてもよい。
【００９２】
図１Ａ、図１Ｂ、および図１Ｃに示される靴１０の靴底１２は、靴甲部の後方セクション１４と連続的に、すなわち靴底１２は靴甲部の後方セクション１４と同様にグレーディングされる。例えば、後方セクションが靴サイズ４５に対応する場合には、靴底１２も同様に靴サイズ４５に対応する。しかしながら、一般に、例えば靴底１２の前方部分を小さくグレーディングすることも可能である。
【００９３】
図１Ａ、図１Ｂ、および図１Ｃの実施形態によると、前方セクション１５は、後方セクション１４よりも柔軟である。これは、前方セクションに後方セクションよりも柔軟な材料を使用することで実現できる。例えば、前方セクション１５および後方セクション１４は、それぞれ異なる柔軟性を有する担体材料を備え得る。例えば、担体材料は、例えばマイクロファイバに基づいた繊維材料の層でよい。代替的に、担体材料は、織物、たて編生地、よこ編生地、またはそれらの組み合わせに基づいたものでもよい。前方セクション１５および後方セクション１４に対して、異なる担体材料が使用されてよい。
【００９４】
前方セクション１５は、全ての方向に同一の柔軟性を有する必要はない。例えば、前方セクション１５は、靴甲部１１の長手軸に垂直な方向において靴甲部１１の長手軸に平行な方向よりも柔軟であってよい。これは、適切な繊維材料を使用することで実現できる。例えば、特定のよこ編生地またはたて編生地は、特定のループ構造により非等方性の柔軟性を有する。
【００９５】
後方セクション１４もまた、非等方性の柔軟性を有してよい。例えば、後方セクションは、靴甲部の長手軸に垂直な方向および平行な方向において、それらの方向とは異なる第３の方向（例えば、斜め方向）よりも柔軟であってよい。このような非等方性の特性を有する材料は、４方向伸縮材料（4-way-stretch material）として知られている。更に、特定のよこ編生地またはたて編生地もまた、特定のループ構造によりこのような特性を有する。
【００９６】
図１Ａ、図１Ｂ、および図１Ｃの実施形態において、熱可塑性ポリウレタンのフィルム１７が、前方セクション１５の特定の領域に適用される。フィルム１７は、フィルムが適用されたそれらの領域で前方セクション１５の柔軟性を減少させる。フィルム１７は、溶着（例えば、赤外線溶着、高周波溶着、レーザー溶着）によって前方セクション１５に適用されてよい。熱可塑性ポリウレタンの代わりに、非柔軟性ゴムなどの柔軟性を減少させる他の材料が適用されてもよい。図１Ａ、図１Ｂ、および図１Ｃの実施形態において、フィルム１７は前方爪先部分および中足骨から足の指の骨への移行領域の部分に配置される。しかしながら、一般に、他の配置も可能である。
【００９７】
図１Ａ、図１Ｂ、および図１Ｃの実施形態において、靴甲部１１は、靴甲部１１の後方セクション１４および前方セクション１５の下に延在する内側ライニング１８を更に備える。前方セクション１５の柔軟性を制限しないために、内側ライニングの材料の柔軟性は、少なくとも前方セクション１５の柔軟性と同じくらい大きい。例えば、ポリウレタンで被覆された内側ライニングを内側ライニング１８の材料として使用することができる。
【符号の説明】
【００９８】
１０  靴
１１  靴甲部
１２  靴底
１３  鋲
１４  後方セクション
１５  前方セクション
１６  継ぎ目
１７  フィルム
１８  内側ライニング
２１  サンプル靴甲部
２１ａ  側面側の境界線
２１ｂ  内面側の境界線
２２  サンプル靴型
２３  中央ライン
２４  ポイント
２５  ポイント
２６  ポイント
２７  幅
３１  サンプル靴甲部
３２  境界線
【図１Ａ】
2017099861.tif 000003
【図１Ｂ】
2017099861.tif 000004
【図１Ｃ】
2017099861.tif 000005
【図２】
2017099861.tif 000006
【図３】
2017099861.tif 000007
【外国語明細書】
2017099861000001.pdf